(57)【特許請求の範囲】
【請求項１】
１対の把持部材の基部を軸支し、前記１対の把持部材の対向する面に髪挟み部を設け、前記髪挟み部の少なくとも一方に加熱装置を内蔵させ、前記髪挟み部より前記基部側にイオン発生機構を設けたヘアアイロンであって、
前記髪挟み部の対向する面の少なくとも一方に、前記基部側の一端から他端にかけて溝が形成されており、前記１対の把持部材を閉じて前記髪挟み部を接合させた際に、前記髪挟み部間に前記溝による空間が形成される、ヘアアイロン。
【請求項２】
請求項１において、
前記髪挟み部より前記基部側に前記イオン発生機構のイオン吐出口を設けた、ヘアアイロン。
【請求項３】
請求項１又は２において、
前記１対の把持部材の対向する面の一方に、当該面に沿って移動可能な突起を設けると共に、他方の面に窪みを設け、前記1対の把持部材を閉じた際に、前記突起が第１の位置にある場合には前記突起が前記窪みに入り、前記突起が第２の位置にある場合には前記突起が前記窪みと異なる位置に当たるようにした、ヘアアイロン。
【発明の詳細な説明】
【０００１】
【発明の属する技術分野】
本発明は、熱により髪に癖をつけるためのヘアアイロンに関する。
【０００２】
【従来の技術】
ヘアアイロンは、ヒータを内蔵する髪挟み部で髪を挟み、髪を加熱して所望の髪型に成形するものである。かかるヘアアイロンにおいて、ロッドからマイナスイオンが発生するように構成し、頭髪の損傷を防止するものが知られている（登録実用新案第３０４７３５２号）。
【０００３】
【特許文献１】
登録実用新案第３０４７３５２号公報
【０００４】
【発明が解決しようとする課題】
しかしながら、上記登録実用新案第３０４７３５２号のように多元素鉱物粉状体をコーティングしただけでは充分なマイナスイオンが発生しない。充分なマイナスイオンが発生するためには、高電圧を発生させるなどのマイナスイオン発生機構により積極的にマイナスイオンを発生させる必要があるが、マイナスイオン発生機構を設けるとヘアアイロンが大型化する可能性がある。
【０００５】
本発明は、マイナスイオン発生機構が装置全体の大型化の原因とならないように配置し、コンパクトで且つ必要な部分に効果的にマイナスイオンを行き渡らせることのできるヘアアイロンを提供することを目的とする。
【０００６】
【課題を解決するための手段】
上記目的を達成するため、本発明のヘアアイロンは、１対の把持部材の基部を軸支し、前記１対の把持部材の対向する面に髪挟み部を設け、前記髪挟み部の少なくとも一方に加熱装置を内蔵させ、前記髪挟み部より前記基部側にイオン発生機構を設けたヘアアイロンであって、前記髪挟み部の対向する面の少なくとも一方に、前記基部側の一端から他端にかけて溝が形成されており、前記１対の把持部材を閉じて前記髪挟み部を接合させた際に、前記髪挟み部間に前記溝による空間が形成されるものである。
【０００７】
このヘアアイロンにおいて、前記髪挟み部より前記基部側に前記イオン発生機構のイオン吐出口を設けることが望ましい。
【０００９】
また、上記ヘアアイロンにおいて、前記１対の把持部材の対向する面の一方に、当該面に沿って移動可能な突起を設けるとともに、他方の面に窪みを設け、前記１対の把持部材を閉じた際に、前記突起が第１の位置にある場合には前記突起が前記窪みに入り、前記突起が第２の位置にある場合には前記突起が前記窪みと異なる位置に当たるようにすることが望ましい。これにより、簡単な構成で把持部材を閉じた時の開閉角度を調整することもできる。
【００１０】
【発明の実施の形態】
次に、図面を参照しながら本発明の実施の形態を説明する。
【００１１】
＜１．全体構成＞
図１は、本発明の第１実施形態によるヘアアイロンを開いた状態の概略斜視図であり、図２は、第２実施形態によるヘアアイロンを閉じた状態の斜視図である。第１実施形態と第２実施形態の異なる点は、後述の髪挟み部４、５及び髪挟み部４ａ、５ａの形状の相違であるが、他の部分の構成及び作用については、第１実施形態と第２実施形態とで共通であるため、図１及び図２を用いて両者の構成を同時に説明する。
【００１２】
第１実施形態のヘアアイロン１及び第２実施形態のヘアアイロン１ａは、それぞれ１対の把持部材２、３を備えており、把持部材２、３は、基部２９、３９で軸支されてＶ字型をなしている。把持部材２、３の自由端側には、両把持部材２、３の対向する面にそれぞれ髪挟み部４、５が設けられ、髪挟み部４より基部２９側には、イオン発生機構７が内蔵されている。把持部材２、３の対向する面の一方には突起８（図２参照）が設けられ、他方の面には第１凹部９０、第２凹部９１が設けられている。第１凹部９０は、第２凹部９１より深く形成され、第１凹部９０が本発明の窪みに相当する。
【００１３】
＜２．把持部材と基部の構成＞
把持部材２、３の基部２９、３９にはばね等の付勢部材が設けられ、把持部材を開く方向に付勢している。把持部材の基部２９、３９側を握ると付勢力に抗して把持部材２、３が図２のように閉じ、握る力を弱めると付勢力により把持部材２、３が図１のように開く。把持部材２の基部２９側の端部には電源コード２８が接続されている。
【００１４】
＜３．髪挟み部の構成＞
髪挟み部４、５、４ａ、５ａは、アルミダイキャスト製品などの耐熱性を有する部材で構成されている。把持部材の内部には、髪挟み部と接するように電熱線などの加熱機構（図示せず）が設けられている。第１実施形態と第２実施形態では、髪挟み部４、４ａにのみ加熱機構を設けているが、これに加え又はこれに代え、髪挟み部５、５ａに設けても良い。これらの加熱機構と上記電源コード２８は、導電線（図示せず）及びスイッチ（図示せず）を介して接続できるようになっている。
【００１５】
第１実施形態の髪挟み部４、５は、何れも平板状であり、これを用いるとストレートヘア用のヘアアイロンとなる。なお、このうち髪挟み部４の中央には、基部２９側から自由端側まで、溝４１が形成されている。一方、第２実施形態の髪挟み部４ａ、５ａは、何れも波面状であり、互いに噛み合うように相補的な形状となっている。これを用いるとウェーブヘア用のヘアアイロンとなる。なお、第１実施形態の髪挟み部４、５（加熱機構を除く）を取り外し可能にし、第２実施形態の髪挟み部４ａ、５ａに取替え可能にすることが望ましい。
【００１６】
＜４．イオン発生機構の構成＞
イオン発生機構７は、例えば、高周波電圧を発生する直列共振回路を、トランスの一次巻線に接続し、このトランスの二次巻線から高電圧を出力させる構成により、マイナスイオンを発生させる機構を採用する。
【００１７】
このようにして発生させるイオンは、加熱される髪に有効に行き渡らせるために、髪挟み部４、５、４ａ、５ａに近い位置で発生させた方が良いが、加熱機構との空間的競合を避けることが望ましい。従って本実施形態では、イオン発生機構７を、髪挟み部４、４ａより基部２９側に設ける。また、髪挟み部４、４ａより基部２９側にイオン吐出口７０を設けることにより、イオン発生機構７からイオン吐出口７０までの距離を短くして、発生したイオンを効果的に吐出させることができる。
【００１８】
＜５．突起及び窪みの構成＞
図３は、把持部材３に移動可能に設けられた突起８の構成を示す断面図である。突起８は、外側スライド部８１及び内側スライド部８２とともに一体成型された樹脂からなり、把持部材３の表面に設けられた穴３２に、図示のように部材を一度嵌めたら外れないような構成で挿入されている。穴３２は図示左右方向に長く形成されているので、突起８は、穴３２に沿って、把持部材３の自由端側の第１の位置（図２の状態）と、把持部材３の基部３９側の第２の位置（図示せず）との間で往復動できるようになっている。
【００１９】
突起８が第１の位置にあるとき、突起８は深い第１凹部９０（窪み）内に入り、突起８が第２の位置にあるとき、突起８は浅い第２凹部９１の底に当たる。この結果、突起８が第１の位置にあるときは、把持部材２、３を閉じると髪挟み部４と５、あるいは４ａと５ａが接合するが、突起８が第２の位置にあるときは、把持部材２、３を閉じても髪挟み部４と５あるいは４ａと５ａが接合することはない。これにより、使用者が把持部材２、３の閉め具合を調整することができる。本実施形態では上記のようなワンチップの突起８を把持部材３の穴３２に嵌めただけの構成で、把持部材の閉め具合を調整できるようにしたので、構成を単純化することができる。
【００２０】
＜６．作用＞
以上のように構成されたヘアアイロン１及び１ａは、髪挟み部４、４ａ内の加熱機構に通電して髪挟み部を加熱した後、髪を挟んで所定時間保持することで髪に所望の癖をつけることができる。
【００２１】
第１実施形態によるストレートヘア用のヘアアイロン１の場合は、把持部材２、３を閉じたまま髪の根元付近から毛先に向かって少しずつスライドさせてもよい。第１実施形態によるヘアアイロン１の髪挟み部４には、上述のように溝４１が形成されているので、イオン発生機構７で発生しイオン吐出口７０で吐出されたイオンが溝４１を通じて髪挟み部４、５で挟まれた髪全体に行き渡る。従って、髪の加熱部分に効果的にイオンを行き渡らせることができ、髪へのダメージを防止することができる。
【００２２】
第２実施形態によるウェーブヘア用のヘアアイロン１ａの場合は、把持部材２、３で所定時間髪を挟んでから把持部材２、３を一旦開いて次の箇所を挟むようにする。従って、ヘアアイロン１ａの使用中に、比較的頻繁に把持部材２、３を開閉することになる。本実施形態のヘアアイロン１ａは、イオン吐出口７０が髪挟み部４ａより基部２９側に位置しており、髪挟み部４ａ側を向いているので、把持部材２、３の開閉を繰り返すことにより、把持部材２、３で扇ぐような効果が働き、基部側で発生したイオンを髪の加熱部分全体に効率的に行き渡らせることができ、髪へのダメージを防止することができる。
【００２３】
【発明の効果】
以上説明したように、本発明によれば、マイナスイオン発生機構が装置全体の大型化の原因とならないように配置し、コンパクトで且つ必要な部分に効果的にマイナスイオンを行き渡らせることのできるヘアアイロンを提供することができる。
【図面の簡単な説明】
【図１】本発明の第１実施形態によるヘアアイロンを開いた状態の概略斜視図である。
【図２】本発明の第２実施形態によるヘアアイロンを閉じた状態の斜視図である。
【図３】把持部材に移動可能に設けられた突起の構成を示す断面図である。
【符号の説明】
２、３  把持部材
２９、３９  基部
４、５、４ａ、５ａ  髪挟み部
４１  溝
７  イオン発生機構
７０  イオン吐出口
８  突起
９０  第１凹部（窪み）
【図１】
0003632925.tif 000002
【図２】
0003632925.tif 000003
【図３】
0003632925.tif 000004